(57)【要約】  本発明は、移動通信ネットワークでのセル選択方法及び装置に関し、より詳細には、端末がネットワーク接続または位置更新のためのセルを選択するための方法に関する。  移動通信システムで端末のセル選択方法において、ネットワークから第１メッセージを受信する段階と；前記第１メッセージに基づいて前記端末が接続するセルのＣＳＦＢ（Ｃｉｒｃｕｉｔ  Ｓｗｉｔｃｈｅｄ  Ｆａｌｌｂａｃｋ）支援可否を決定する段階と；前記セルがＣＳＦＢを支援するか否かに基づいてセル選択可否を決定する段階と；を含む。
2016519553.tif 000002
【特許請求の範囲】
【請求項１】
移動通信システムでの端末のセル選択方法において、
ネットワークから第１メッセージを受信する段階と；
前記第１メッセージに基づいて前記端末が接続するセルのＣＳＦＢ（Ｃｉｒｃｕｉｔ  Ｓｗｉｔｃｈｅｄ  Ｆａｌｌｂａｃｋ）支援可否を決定する段階と；
前記セルがＣＳＦＢを支援するか否かに基づいてセル選択可否を決定する段階とを含むことを特徴とするセル選択方法。
【請求項２】
前記第１メッセージは、
前記ネットワークの移動性管理エンティティー（Ｍｏｂｉｌｉｔｙ  ＭａｎａｇｅｍｅｎｔＥｎｔｉｔｙ，ＭＭＥ）から伝送されたＡｔｔａｃｈ  Ａｃｃｅｐｔ（承認）メッセージまたはＴＡＵ（Ｔｒａｃｋｉｎｇ  Ａｒｅａ  Ｕｐｄａｔｅ）Ａｃｃｅｐｔメッセージであり、
前記ＡｔｔａｃｈまたはＴＡＵ  Ａｃｃｅｐｔメッセージは、
ＣＳＦＢ使用可能可否を示す指示子を含むことを特徴とする請求項１に記載の方法。
【請求項３】
前記第１メッセージは、
前記ネットワークの基地局（ｅＮＢ，ｅｖｏｌｖｅｄ  Ｎｏｄｅ  Ｂ）から伝送されたＭＩＢ（Ｍａｓｔｅｒ  Ｉｎｆｏｒｍａｔｉｏｎ  Ｂｌｏｃｋ）またはＳＩＢ（Ｓｙｓｔｅｍ  Ｉｎｆｏｒｍａｔｉｏｎ  Ｂｌｏｃｋ）のうち少なくとも１つであり、
前記ＭＩＢまたはＳＩＢのうち少なくとも１つは、
ＣＳＦＢ使用可能可否を示すセル識別子を含むことを特徴とする請求項１に記載の方法。
【請求項４】
前記セル選択可否を決定する段階は、
前記端末が接続するセルが、ＣＳＦＢを支援しない場合、前記セルを選択せず、前記端末のＬＴＥ（Ｌｏｎｇ−Ｔｅｒｍ  Ｅｖｏｌｕｔｉｏｎ）機能を中止（ｄｉｓａｂｌｅ）させない段階を含むことを特徴とする請求項１に記載の方法。
【請求項５】
前記セル選択可否を決定する段階は、
前記ＣＳＦＢ支援可否を基盤としてセル選択優先順位を変更する段階を含むことを特徴とする請求項１に記載の方法。
【請求項６】
移動通信システムで基地局の端末のためのセル選択を支援する方法において、
前記基地局に対応し、前記端末が接続するセルのＣＳＦＢ（Ｃｉｒｃｕｉｔ  Ｓｗｉｔｃｈｅｄ  Ｆａｌｌｂａｃｋ）支援可否を決定する段階と；
前記基地局に対応し、前記端末が接続するセルのＣＳＦＢ（Ｃｉｒｃｕｉｔ  Ｓｗｉｔｃｈｅｄ  Ｆａｌｌｂａｃｋ）支援可否を指示する情報を含む第１メッセージを生成する段階と；
前記第１メッセージを伝送する段階と；を含むことを特徴とする方法。
【請求項７】
前記第１メッセージは、
移動性管理エンティティー（Ｍｏｂｉｌｉｔｙ  Ｍａｎａｇｅｍｅｎｔ  Ｅｎｔｉｔｙ，ＭＭＥ）から伝送されたＡｔｔａｃｈ  Ａｃｃｅｐｔ（承認）メッセージまたはＴＡＵ（Ｔｒａｃｋｉｎｇ  Ａｒｅａ  Ｕｐｄａｔｅ）Ａｃｃｅｐｔメッセージであり、
前記ＡｔｔａｃｈまたはＴＡＵ  Ａｃｃｅｐｔメッセージは、
ＣＳＦＢ使用可能可否を示す指示子を含むことを特徴とする請求項６に記載の方法。
【請求項８】
前記第１メッセージは、
基地局（ｅＮＢ，ｅｖｏｌｖｅｄ  Ｎｏｄｅ  Ｂ）から伝送されたＭＩＢ（Ｍａｓｔｅｒ  Ｉｎｆｏｒｍａｔｉｏｎ  Ｂｌｏｃｋ）またはＳＩＢ（Ｓｙｓｔｅｍ  Ｉｎｆｏｒｍａｔｉｏｎ  Ｂｌｏｃｋ）のうち少なくとも１つであり、
前記ＭＩＢまたはＳＩＢのうち少なくとも１つは、
ＣＳＦＢ使用可能可否を示すセル識別子を含むことを特徴とする請求項６に記載の方法。
【請求項９】
移動通信システムで移動性管理エンティティー（Ｍｏｂｉｌｉｔｙ  ＭａｎａｇｅｍｅｎｔＥｎｔｉｔｙ，ＭＭＥ）の端末のためのセル選択を支援する方法において、
端末から第１メッセージを受信する段階と；
前記端末がＣＳＦＢを行う必要があるか否か及び前記ＭＭＥに対応するネットワークがＣＳＦＢを支援するか否かを決定する段階と；
前記端末がＣＳＦＢを行うことが必要な場合、前記ＭＭＥに対応するネットワークセルがＣＳＦＢを支援するか否かを示す情報を含む第２メッセージを前記端末に伝送する段階と；を含むことを特徴とする方法。
【請求項１０】
前記第１メッセージは、結合された接続要請メッセージ及び結合されたＴＡＵ要請メッセージのうち少なくとも１つを含むことを特徴とする請求項９に記載の方法。
【請求項１１】
前記第２メッセージは、接続（Ａｔｔａｃｈ）Ａｃｃｅｐｔ（承認）メッセージまたはＴＡＵ（Ｔｒａｃｋｉｎｇ  Ａｒｅａ  Ｕｐｄａｔｅ）Ａｃｃｅｐｔメッセージであり、
前記接続（Ａｔｔａｃｈ）またはＴＡＵ  Ａｃｃｅｐｔメッセージは、
ＣＳＦＢ使用可能可否を示す指示子を含むことを特徴とする請求項９に記載の方法。
【請求項１２】
移動通信システムでセル選択を行う端末において、
ネットワークに、またはネットワークから情報を送受信する送受信部と；
ネットワークから第１メッセージを受信し、前記第１メッセージに基づいて前記端末が接続するセルのＣＳＦＢ（Ｃｉｒｃｕｉｔ  Ｓｗｉｔｃｈｅｄ  Ｆａｌｌｂａｃｋ）支援可否を決定し、前記セルがＣＳＦＢを支援するか否かに基づいてセル選択可否を決定することを制御する制御部と；を含むことを特徴とする端末。
【請求項１３】
前記第１メッセージは、
前記ネットワークの移動性管理エンティティー（Ｍｏｂｉｌｉｔｙ  Ｍａｎａｇｅｍｅｎｔ  Ｅｎｔｉｔｙ，ＭＭＥ）から伝送されたＡｔｔａｃｈ  Ａｃｃｅｐｔ（承認）メッセージまたはＴＡＵ（Ｔｒａｃｋｉｎｇ  Ａｒｅａ  Ｕｐｄａｔｅ）Ａｃｃｅｐｔメッセージであり、
前記ＡｔｔａｃｈまたはＴＡＵ  Ａｃｃｅｐｔメッセージは、
ＣＳＦＢ使用可能可否を示す指示子を含むことを特徴とする請求項１２に記載の端末。
【請求項１４】
前記第１メッセージは、
前記ネットワークの基地局（ｅＮＢ，ｅｖｏｌｖｅｄ  Ｎｏｄｅ  Ｂ）から伝送されたＭＩＢ（Ｍａｓｔｅｒ  Ｉｎｆｏｒｍａｔｉｏｎ  Ｂｌｏｃｋ）またはＳＩＢ（Ｓｙｓｔｅｍ  Ｉｎｆｏｒｍａｔｉｏｎ  Ｂｌｏｃｋ）のうち少なくとも１つであり、
前記ＭＩＢまたはＳＩＢのうち少なくとも１つは、ＣＳＦＢ使用可能可否を示すセル識別子を含むことを特徴とする請求項１２に記載の端末。
【請求項１５】
前記セル選択可否を決定することは、
前記端末が接続するセルが、ＣＳＦＢを支援しない場合、前記セルを選択せず、前記端末のＬＴＥ（Ｌｏｎｇ−Ｔｅｒｍ  Ｅｖｏｌｕｔｉｏｎ）機能を中止（ｄｉｓａｂｌｅ）させない段階を含むことを特徴とする請求項１２に記載の端末。
【請求項１６】
前記セル選択可否を決定することは、前記ＣＳＦＢ支援可否を基盤としてセル選択優先順位を変更する段階を含むことを特徴とする請求項１２に記載の端末。
【請求項１７】
移動通信システムで端末のためのセル選択を支援する基地局において、
端末に、及び端末から信号を送受信する送受信部と；
前記基地局に対応し、前記端末が接続するセルのＣＳＦＢ（Ｃｉｒｃｕｉｔ  Ｓｗｉｔｃｈｅｄ  Ｆａｌｌｂａｃｋ）支援可否を決定し、前記基地局に対応し、前記端末が接続するセルのＣＳＦＢ（Ｃｉｒｃｕｉｔ  Ｓｗｉｔｃｈｅｄ  Ｆａｌｌｂａｃｋ）支援可否を指示する情報を含む第１メッセージを生成し、前記第１メッセージを伝送することを制御する制御部と；を含むことを特徴とする基地局。
【請求項１８】
前記第１メッセージは、
移動性管理エンティティー（Ｍｏｂｉｌｉｔｙ  Ｍａｎａｇｅｍｅｎｔ  Ｅｎｔｉｔｙ，ＭＭＥ）から伝送されたＡｔｔａｃｈ  Ａｃｃｅｐｔ（承認）メッセージまたはＴＡＵ（Ｔｒａｃｋｉｎｇ  Ａｒｅａ  Ｕｐｄａｔｅ）Ａｃｃｅｐｔメッセージであり、
前記ＡｔｔａｃｈまたはＴＡＵ  Ａｃｃｅｐｔメッセージは、
ＣＳＦＢ使用可能可否を示す指示子を含むことを特徴とする請求項１７に記載の基地局。
【請求項１９】
前記第１メッセージは、
基地局（ｅＮＢ，ｅｖｏｌｖｅｄ  Ｎｏｄｅ  Ｂ）から伝送されたＭＩＢ（Ｍａｓｔｅｒ  Ｉｎｆｏｒｍａｔｉｏｎ  Ｂｌｏｃｋ）またはＳＩＢ（Ｓｙｓｔｅｍ  Ｉｎｆｏｒｍａｔｉｏｎ  Ｂｌｏｃｋ）のうち少なくとも１つであり、
前記ＭＩＢまたはＳＩＢのうち少なくとも１つは、
ＣＳＦＢ使用可能可否を示すセル識別子を含むことを特徴とする請求項１７に記載の基地局。
【請求項２０】
移動通信システムで端末のためのセル選択を支援する移動性管理エンティティー（Ｍｏｂｉｌｉｔｙ  Ｍａｎａｇｅｍｅｎｔ  Ｅｎｔｉｔｙ，ＭＭＥ）において、
端末から、及び端末に信号を送受信する送受信部と；
端末から第１メッセージを受信し、前記端末がＣＳＦＢを行う必要があるか否か及び前記ＭＭＥに対応するネットワークがＣＳＦＢを支援するか否かを決定し、前記端末がＣＳＦＢを行うことが必要な場合、前記ＭＭＥに対応するネットワークセルがＣＳＦＢを支援するか否かを示す情報を含む第２メッセージを前記端末に伝送することを制御する制御部と；を含むことを特徴とするＭＭＥ。
【請求項２１】
前記第１メッセージは、
結合された接続要請メッセージ及び結合されたＴＡＵ要請メッセージのうち少なくとも１つを含むことを特徴とする請求項２０に記載のＭＭＥ。
【請求項２２】
前記第２メッセージは、
接続（Ａｔｔａｃｈ）Ａｃｃｅｐｔ（承認）メッセージまたはＴＡＵ（Ｔｒａｃｋｉｎｇ  Ａｒｅａ  Ｕｐｄａｔｅ）Ａｃｃｅｐｔメッセージであり、
前記接続（Ａｔｔａｃｈ）またはＴＡＵ  Ａｃｃｅｐｔメッセージは、
ＣＳＦＢ使用可能可否を示す指示子を含むことを特徴とする請求項２０に記載のＭＭＥ。
【発明の詳細な説明】
【技術分野】
【０００１】
本発明は、移動通信ネットワークでのセル選択方法及び装置に関し、より詳細には、端末がネットワーク接続または位置更新のためのセルを選択するための方法に関する。
【背景技術】
【０００２】
現在、移動通信システムにおいて、２世代システムと３世代システムが主に使用されており、最近、４世代システムであるＬＴＥ（Ｌｏｎｇ  Ｔｅｒｍ  Ｅｖｏｌｕｔｉｏｎ）の標準化が進行中にある。
【０００３】
前記ＬＴＥシステムは、基本的にパケット交換（Ｐａｃｋｅｔ  Ｓｗｉｔｃｈｅｄ、ＰＳ）方式のサービスのみを支援するので、ＬＴＥ標準では、ユーザに音声呼を提供するために回線交換（Ｃｉｒｃｕｉｔ  Ｓｗｉｔｃｈ、ＣＳ）フォールバック（ｆａｌｌｂａｃｋ）サービスを提案している。
【０００４】
図１は、ＣＳフォールバック（ＣＳＦＢ）サービスを説明するための図である。図１に示されたように、前記ＣＳＦＢサービスは、ＬＴＥシステムにキャンピングしている端末に対して音声呼が発生した場合、前記移動端末を既存の２Ｇ／３Ｇレガシーシステムにハンドオーバーさせて、前記音声呼を連結するようにするサービスを意味する。
【０００５】
一方、事業者網の状況によって一部のＬＴＥセルは、ＣＳＦＢ機能を支援するが、一部のＬＴＥセルは、ＣＳＦＢ機能を支援しないことがある。もしＬＴＥ端末がＣＳＦＢを支援しないＬＴＥセルにある場合には、端末は、ＬＴＥを全く使用せず、２Ｇ／３Ｇレガシーシステムのみを使用するか（シングルラジオＬＴＥ端末の場合）、ＰＳサービスはＬＴＥで、音声サービスは、２Ｇ／３Ｇでサービスを受けることができる（デュアルラジオＬＴＥ端末の場合）。
【０００６】
ここで、シングルラジオＬＴＥ端末がＣＳＦＢサービスを支援しないセルでＬＴＥを使用せず、レガシーシステムのみを使用する途中に、ＣＳＦＢサービスを支援するセルへ移動する場合にＬＴＥを使用しない問題が発生する。
【発明の概要】
【発明が解決しようとする課題】
【０００７】
本発明は、ＣＳＦＢを支援するＬＴＥセルと支援しないＬＴＥセルが２Ｇ／３Ｇレガシー網と重畳された場合に、シングルラジオＬＴＥ端末がＰＳサービスとＣＳサービスを提供され得るようにすることを目的とする。
【課題を解決するための手段】
【０００８】
本発明の一実施形態による、移動通信システムでの端末のセル選択方法は、ネットワークから第１メッセージを受信する段階と；前記第１メッセージに基づいて前記端末が接続するセルのＣＳＦＢ（Ｃｉｒｃｕｉｔ  Ｓｗｉｔｃｈｅｄ  Ｆａｌｌｂａｃｋ）支援可否を決定する段階と；前記セルがＣＳＦＢを支援するか否かに基づいてセル選択可否を決定する段階と；を含む。
【０００９】
本発明の他の実施形態による、移動通信システムで基地局の端末のためのセル選択を支援する方法において、前記基地局に対応し、前記端末が接続するセルのＣＳＦＢ（Ｃｉｒｃｕｉｔ  Ｓｗｉｔｃｈｅｄ  Ｆａｌｌｂａｃｋ）支援可否を決定する段階と；前記基地局に対応し、前記端末が接続するセルのＣＳＦＢ（Ｃｉｒｃｕｉｔ  Ｓｗｉｔｃｈｅｄ  Ｆａｌｌｂａｃｋ）支援可否を指示する情報を含む第１メッセージを生成する段階と；前記第１メッセージを伝送する段階と；を含む。
【００１０】
本発明の他の実施形態による移動通信システムで移動性管理エンティティー（Ｍｏｂｉｌｉｔｙ  Ｍａｎａｇｅｍｅｎｔ  Ｅｎｔｉｔｙ，ＭＭＥ）の端末のためのセル選択を支援する方法において、端末から第１メッセージを受信する段階と；前記端末がＣＳＦＢを行う必要があるか否か及び前記ＭＭＥに対応するネットワークがＣＳＦＢを支援するか否かを決定する段階と；前記端末がＣＳＦＢを行うことが必要な場合、前記ＭＭＥに対応するネットワークセルがＣＳＦＢを支援するか否かを示す情報を含む第２メッセージを前記端末に伝送する段階と；を含む。
【００１１】
本発明の他の実施形態による移動通信システムでセル選択を行う端末において、ネットワークに、またはネットワークから情報を送受信する送受信部と；ネットワークから第１メッセージを受信し、前記第１メッセージに基づいて前記端末が接続するセルのＣＳＦＢ（Ｃｉｒｃｕｉｔ  Ｓｗｉｔｃｈｅｄ  Ｆａｌｌｂａｃｋ）支援可否を決定し、前記セルがＣＳＦＢを支援するか否かに基づいてセル選択可否を決定することを制御する制御部と；を含む。
【００１２】
移動通信システムで端末のためのセル選択を支援する基地局において、端末に、及び端末から信号を送受信する送受信部と；前記基地局に対応し、前記端末が接続するセルのＣＳＦＢ（Ｃｉｒｃｕｉｔ  Ｓｗｉｔｃｈｅｄ  Ｆａｌｌｂａｃｋ）支援可否を決定し、前記基地局に対応し、前記端末が接続するセルのＣＳＦＢ（Ｃｉｒｃｕｉｔ  Ｓｗｉｔｃｈｅｄ  Ｆａｌｌｂａｃｋ）支援可否を指示する情報を含む第１メッセージを生成し、前記第１メッセージを伝送することを制御する制御部と；を含むことを特徴とする。
【００１３】
移動通信システムで端末のためのセル選択を支援する移動性管理エンティティー（Ｍｏｂｉｌｉｔｙ  Ｍａｎａｇｅｍｅｎｔ  Ｅｎｔｉｔｙ，ＭＭＥ）において、端末から、及び端末に信号を送受信する送受信部と；端末から第１メッセージを受信し、前記端末がＣＳＦＢを行う必要があるか否か及び前記ＭＭＥに対応するネットワークがＣＳＦＢを支援するか否かを決定し、前記端末がＣＳＦＢを行うことが必要な場合、前記ＭＭＥに対応するネットワークセルがＣＳＦＢを支援するか否かを示す情報を含む第２メッセージを前記端末に伝送することを制御する制御部と；を含むことを特徴とする。
【発明の効果】
【００１４】
本発明による移動通信ネットワークでのセル選択方法及び装置によれば、レガシーシステムとＬＴＥシステムが重畳されたネットワークで端末がネットワークのＣＳＦＢ支援可否によって当該セルの選択可否を決定することによって、ＬＴＥ機能を中止させることなく、ＰＳ及びＣＳサービスを共に利用することができる。
【図面の簡単な説明】
【００１５】
【図１】ＣＳフォールバック（ＣＳＦＢ）サービスを説明するための図である。
【図２】レガシー領域と重畳されたＬＴＥ領域を示す図である。
【図３】ＰＬＭＮ  ＩＤを基盤としてセルのＣＳＦＢ支援可否を判断するユーザ端末の動作を示す図である。
【図４】ＴＡＩを基盤としてＬＴＥセルのＣＳＦＢ支援可否を判断するユーザ端末の動作を示す図である。
【図５】本発明の第３実施形態による端末とネットワークの動作を示す図である。
【図６】本発明の第４実施形態によってＣＳＧ概念を利用してセル選択／再選択を行う過程を示す図である。
【図７】本発明の第５実施形態による端末の動作を示す図である。
【図８】本発明の好ましい実施形態によって動作する端末の構成を示す図である。
【図９】本発明の好ましい実施形態によって動作するＭＭＥの構成を示す図である。
【図１０】本発明の好ましい実施形態によって動作する基地局の構成を示す図である。
【発明を実施するための形態】
【００１６】
以下、添付の図面を参照して本発明の好ましい実施形態を詳しく説明する。この際、添付の図面において同一の構成要素は、できるだけ、同一の符号で示していることに留意しなければならない。また、本発明の要旨を不明にすることができる公知機能及び構成に対する詳細な説明は省略する。
【００１７】
また、本発明の実施形態を具体的に説明するに際して、ＯＦＤＭ基盤のコードレス通信システム、特に３ＧＰＰ  ＥＵＴＲＡ標準を主な対象とするが、本発明の主な要旨は、類似の技術的背景及びチャネル形態を有するその他の通信システムにも本発明の範囲を大きく逸脱しない範囲で少しの変形で適用可能であり、これは、本発明の技術分野において熟練された技術的知識を有する者の判断で可能だろう。
【００１８】
一方、本明細書と図面に開示された本発明の実施形態において、ネットワークがＩＭＳ  ｖｏｉｃｅｏｖｅｒ  ＰＳ  ｓｅｓｓｉｏｎ（以下、略称してＶｏｉｃｅ  ｏｖｅｒ  ＬＴＥ、ＶｏＬＴＥという）を支援しない場合を仮定することができる。すなわち、本発明の実施形態において、ユーザ端末がネットワークから受信するメッセージには、ＶｏＬＴＥが支援されるという情報が含まれない場合を基本的に仮定することができる。
【００１９】
まず、ＬＴＥシステムとレガシーシステムが共存する移動通信ネットワークで発生し得る問題状況を説明する。
【００２０】
移動通信システムの一部のネットワーク事業者は、網を構成をするとき、２Ｇ／３Ｇレガシー網とＬＴＥ網を重畳して設置する。この際、一部のＬＴＥ網がＣＳＦＢを支援し、残りのＬＴＥ網はＣＳＦＢを支援しないことがある。
【００２１】
図２は、レガシー領域と重畳されたＬＴＥ領域を示す図である。図２を参照すると、２Ｇ／３Ｇレガシー領域２１０と重畳されるように複数のＬＴＥ領域２２０、２３０が位置する。また、一部のＬＴＥ領域２２０は、ＣＳＦＢを支援せず、一部のＬＴＥ領域２３０は、ＣＳＦＢを支援することができる。
【００２２】
図２のような状況で、シングルラジオＣＳＦＢ使用ＬＴＥ端末がＣＳＦＢ不可能ＬＴＥ領域２２０でｃｏｍｂｉｎｅｄ  ａｔｔａｃｈまたはｃｏｍｂｉｎｅｄ  ＴＡＵ過程を行う場合、ＭＭＥは、当該領域でＣＳＦＢが不可能であるから、これを端末に通知し、音声サービスを使用しなければならない（Ｖｏｉｃｅ  Ｃｅｎｔｒｉｃ）端末は、音声サービスを正確に支援されるために、ＬＴＥの代わりに２Ｇ／３Ｇｌｅｇａｃｙ網からサービスを受けなければならない。
【００２３】
この際、端末が不要にさらにＬＴＥセルにキャンピング（ｃａｍｐｉｎｇ）することを阻止するために、ユーザ端末は、ＬＴＥ機能を中止（ｄｉｓａｂｌｅ）させる。中止されたＬＴＥ機能は、ＰＬＭＮが変更されるか、端末の電源がオンまたはオフされるなどの状況が発生したときにのみ、さらにオンとされるので、前述した動作は、ユーザがＣＳＦＢが支援されるＬＴＥ領域に移動したときにも、ＬＴＥを使用することができないようにする要因になる。
【００２４】
本発明は、以上のような問題を解決するために、ＬＴＥ機能を中止させることなく、端末がＰＳ及びＣＳサービスを提供され得るようにする実施形態を提供する。具体的に、本発明の実施形態によれば、ネットワークは、端末がｃｏｍｂｉｎｅｄ  ａｔｔａｃｈまたはｃｏｍｂｉｎｅｄ  ＴＡＵ要請を伝送しようとするセルがＣＳＦＢを支援するか否かを示す識別情報を端末に提供し、端末は、識別情報を通じて把握されるＣＳＦＢ支援可否によって当該セルを選択／再選択すべきか否かを決定することができる。
【００２５】
または、本発明のさらに他の実施形態によれば、ネットワークは、ＬＴＥセルでＣＳＦＢを支援するか否かを示す識別子を端末に提供し、端末は、識別情報を通じてＣＳＦＢ未支援と把握されれば、ＬＴＥに対する優先順位（通常、周波数別に優先順位に設定される）を２Ｇ／３Ｇに比べて低減して、ＬＴＥセルの選択を阻止することができる。
【００２６】
一方、２Ｇ／３Ｇセルでは、ＬＴＥセルの選択を勧めるために、自分に接続された端末のＬＴＥに対する優先順位をさらに高めることができる。この際、設定された優先順位は、特定時間（例えばｔ３２０）の間にのみ適用されることができ、端末がＬＴＥセル情報を基盤として直接優先順位を調整するとき、ｔ３２０を適切な値（例えば充分に長く）に設定することができる。また、基地局が端末のＬＴＥ／２Ｇ／３Ｇ優先順位を設定するときにも、同様に、ｔ３２０を適切な値に設定して、端末に伝達することによって、端末がタイマーを使用するようにすることができる。
【００２７】
ここで、本発明の実施形態によって識別情報の具現形態が変わることができ、以下では、セルのＣＳＦＢ支援可否を示す識別情報の形態による本発明の多様な実施形態を詳細に説明する。但し、以下で説明する実施形態は、識別情報の形態として可能な一部の例を例示したものであって、本発明の好ましい実施形態は、これに限定せず、容易に導出可能な範囲にすべて適用されることができる。
【００２８】
本発明の第１実施形態による方法は、ＣＳＦＢを支援するＬＴＥ領域に属するセルとＣＳＦＢを支援しないＬＴＥ領域に属するセルにおいて異なるＰＬＭＮ（Ｐｕｂｌｉｃ  Ｌａｎｄ  Ｍｏｂｉｌｅ  Ｎｅｔｗｏｒｋ）ＩＤを使用するものである。例えば、図２の２２０のように、ＣＳＦＢサービスを支援しないＬＴＥセルでは、ＰＬＭＮ１を、図２の２３０のように、ＣＳＦＢサービスを支援するＬＴＥセルでは、ＰＬＭＮ２を使用して、ＰＬＭＮ  ＩＤからＣＳＦＢ支援可否が区分されるようにすることができる。これによって、端末は、特定セルから受信したＰＬＭＮ  ＩＤを確認し、当該セルがＣＳＦＢを支援するか否かを判断することができる。
【００２９】
このために、ユーザ端末には、ＣＳＦＢを支援してＬＴＥ使用が可能なセルのＰＬＭＮ  ＩＤまたはＣＳＦＢを支援しなくてＬＴＥとしては使用することができないセルのＰＬＭＮ  ＩＤを含むリスト（ｌｉｓｔ）が設定されることができる。このようなＰＬＭＮ  ＩＤのリスト（ｌｉｓｔ）は、ＯＭＡ−ＤＭ方式を通じてユーザ端末に設定されてもよく、端末製造時にあらかじめ設定されてもよい。一例として、ＣＳＦＢを支援しないＬＴＥセルのＰＬＭＮ  ＩＤが“！ｆｏｒｂｉｄｄｅｎ  ＰＬＭＮ  ｌｉｓｔ  ｆｏｒ  ＬＴＥ！”のように設定されることができる。
【００３０】
ユーザ端末は、ｃｏｍｂｉｎｅｄ  ａｔｔａｃｈまたはＴＡＵのために、またはｉｄｌｅ  ｍｏｄｅでとどまる適切なセル（ｓｕｉｔａｂｌｅ  ｃｅｌｌ）を選択する過程で、端末に格納されているＰＬＭＮ  ＩＤリスト（ｌｉｓｔ）を基盤として特定ＬＴＥセルを使用することができるか否かを決定することができる。前述したように、ＣＳＦＢを支援するＬＴＥ領域に属するセルとＣＳＦＢを支援しないＬＴＥセルは、異なるＰＬＭＮ  ＩＤを使用するように設定され得るので、もしユーザ端末がＬＴＥセルから受信したＰＬＭＮ  ＩＤがＬＴＥを使用することができるＰＬＭＮ  ＩＤと判断すれば、ユーザ端末は、当該セルを選択してＬＴＥを使用するか、ＣＳＦＢサービスを受けることができる。もしユーザ端末がＬＴＥセルから受信したＰＬＭＮ  ＩＤがＬＴＥを使用することができないＰＬＭＮ  ＩＤと判断すれば、ユーザ端末は、当該セルは選択せず、また、ＬＴＥ機能を中止（ｄｉｓａｂｌｅ）させない。
【００３１】
図３は、ＰＬＭＮ  ＩＤを基盤としてセルのＣＳＦＢ支援可否を判断するユーザ端末の動作を示す図である。
【００３２】
図３を参照すると、３０５段階で、ユーザ端末は、受信部を通じて周辺セル情報、例えばシステム情報ブロック（Ｓｙｓｔｅｍ  Ｉｎｆｏｒｍａｔｉｏｎ  Ｂｌｏｃｋ、ＳＩＢ）を受信する。３１０段階で、端末の制御部は、受信したセル情報を通じて当該セルがＬＴＥセルであるか否かを判断し、もしＬＴＥセルなら、３１５段階で、受信部を通じて受信したセル情報のＰＬＭＮ  ＩＤ（またはＰＬＭＮ  ＩＤ）を設定されたＰＬＭＮ  ＩＤのリスト（ｌｉｓｔ）と比較する。制御部は、この過程を通じて、３２０段階で、当該ＬＴＥセルを利用しても、ＬＴＥサービスとＣＳサービスを両方とも受けることができるか否かを判断することができる。
【００３３】
制御部は、当該ＬＴＥセルを使用可能なものと判断すれば、３２５段階で、当該セルを選択／再選択可能であると考慮し、ＬＴＥセルがＣＳＦＢを支援しなくてＣＳサービスに問題が起こるものと判断される場合には、３３０段階で、当該セルに対する選択／再選択を考慮しない。
【００３４】
前記実施形態では、ＰＬＭＮ  ＩＤを通じてＣＳＦＢ支援可否を通知し、それによって、ユーザ端末がＬＴＥセルに対する選択／再選択可能可否を決定する。本発明のさらに他の実施形態によれば、端末は、ＬＴＥセルが伝送するＰＬＭＮ  ＩＤと自分に設定されたＰＬＭＮ  ＩＤ（ｌｉｓｔ）を通じてＣＳＦＢ支援可否を判断し、もし当該地域でＣＳＦＢが支援されない場合、端末が自体的に（ｌｏｃａｌｌｙ）ＬＴＥセルに対する選択／再選択優先順位を２Ｇ／３Ｇセルに対する選択／再選択優先順位に比べて低減し、ＬＴＥ選択を阻止するようにすることができる。ここで、選択／再選択優先順位は、通常、ＲＲＣＣｏｎｎｅｃｔｉｏｎＲｅｌｅａｓｅメッセージのＩｄｌｅＭｏｄｅＭｏｂｉｌｉｔｙＣｏｎｔｒｏｌＩｎｆｏ内にｃａｒｒｉｅｒ  ｆｒｅｑｕｅｎｃｙ別に再選択優先順位を通じて設定されることができる。
【００３５】
一方、２Ｇ／３Ｇセルでは、ＬＴＥセルの選択を勧めるために、自分に接続された端末のＬＴＥセルに対する優先順位をさらに高めることができる。すなわち、ＬＴＥセルでの優先順位設定によって端末が２Ｇ／３Ｇセルを選択し、網に接続した後、接続が解除されるとき、２Ｇ／３Ｇ基地局は、端末に前述したＩｄｌｅＭｏｄｅＭｏｂｉｌｉｔｙＣｏｎｔｒｏｌＩｎｆｏまたはそれと類似の情報を通じてＬＴＥセルに対する選択／再選択優先順位が２Ｇ／３Ｇより高いように設定することができる。これは、ＣＳＦＢが支援されるＬＴＥセルでは、２Ｇ／３ＧよりＬＴＥを使用するように誘導するためのものである。
【００３６】
本発明の第２実施形態による方法は、ＣＳＦＢを支援するＬＴＥ領域に属するセルとＣＳＦＢを支援しないＬＴＥ領域に属するセルにおいて異なるＴＡＩ（Ｔｒａｃｋｉｎｇ  Ａｒｅａ  Ｉｄｅｎｔｉｔｙ）を使用するものである。ここで、異なるＴＡＩを使用するというのは、ＴＡＩの一部であるＴＡＣ（Ｔｒａｃｋｉｎｇ  Ａｒｅａ  Ｃｏｄｅ）が異なる場合を含むことができる。本発明の第１実施形態と同様に、図２の２２０のように、ＣＳＦＢサービスを支援しないＬＴＥセルでは、例えばＴＡＩ１を、図２の２３０のように、ＣＳＦＢサービスを支援するＬＴＥセルでは、例えばＴＡＩ２を使用して、ＴＡＩからＣＳＦＢ支援可否が区分されるようにすることができる。それによって、端末は、特定セルから受信したＴＡＩを確認し、当該セルがＣＳＦＢを支援するか否かを判断することができる。
【００３７】
このために、ユーザ端末には、ＣＳＦＢとＬＴＥ使用が可能なＴＡＩまたはＣＳＦＢを支援しなくてＬＴＥとしては使用することができないＴＡＩのリスト（ｌｉｓｔ）が設定されることができる。このようなＴＡＩのリスト（ｌｉｓｔ）は、ＯＭＡ−ＤＭ方式を通じてユーザ端末に設定されてもよく、端末製造時にあらかじめ設定されてもよい。一例として、ＣＳＦＢを支援しないＬＴＥセルのＴＡＩが“！ｆｏｒｂｉｄｄｅｎ  ＴＡＩ  ｌｉｓｔ  ｆｏｒ  ＬＴＥ！”のように設定されることができる。
【００３８】
前述したように、ＣＳＦＢを支援するＬＴＥ領域に属するセルとＣＳＦＢを支援しないＬＴＥセルは、異なるＴＡＩを使用するように設定され得るので、ユーザ端末は、適切なセル（ｓｕｉｔａｂｌｅ  ｃｅｌｌ）を選択する過程であらかじめ設定されたＴＡＩリスト（ｌｉｓｔ）を基盤として特定セルでＣＳＦＢを使用しながらＬＴＥを使用することができるか否かを決定することができる。もしユーザ端末がＬＴＥセルから受信したＴＡＩがＬＴＥを使用することができるＴＡＩと判断すれば、ユーザ端末は、当該セルを選択してＬＴＥを使用するか、またはＣＳＦＢサービスを受けることができる。もしユーザ端末がＬＴＥセルから受信したＴＡＩがＬＴＥを使用することができないＴＡＩと判断すれば、ユーザ端末は、当該セルを選択せず、また、ＬＴＥ機能を中止（ｄｉｓａｂｌｅ）させない。
【００３９】
図４は、ＴＡＩを基盤としてＬＴＥセルのＣＳＦＢ支援可否を判断するユーザ端末の動作を示す図である。
【００４０】
図４を参照すると、４０５段階で、ユーザ端末は、受信部を通じて周辺セル情報、例えばＳＩＢを受信する。制御部は、受信したセル情報を通じて、４１０段階で、当該セルがＬＴＥセルであるか否かを判断し、もしＬＴＥセルなら、４１５段階で、受信部を通じて受信したセルのＴＡＩを設定されたＴＡＩのリスト（ｌｉｓｔ）と比較する。制御部は、この過程を通じて、４２０段階で、当該ＬＴＥセルを利用しても、ＬＴＥサービスとＣＳサービスを両方とも受けることができるか否かを判断することができる。
【００４１】
制御部は、当該ＬＴＥセルを使用可能なものと判断すれば、当該セルを選択／再選択可能であると考慮し、当該ＬＴＥセルを使用すれば、ＣＳＦＢを支援しなくてＣＳサービスに問題が起こるものと判断すれば、当該セルに対する選択／再選択を考慮しない。
【００４２】
以上の実施形態では、ＴＡＩを通じてＣＳＦＢ支援可否を通知し、それによって、ユーザ端末がＬＴＥセルに対する選択／再選択可能可否を決定したが、本発明のさらに他の実施形態によれば、端末は、ＬＴＥセルが伝送するＴＡＩと自分に設定されたＴＡＩ（ｌｉｓｔ）を通じてＣＳＦＢ支援可否を判断し、もし当該地域でＣＳＦＢが支援されない場合、端末が自体的に（ｌｏｃａｌｌｙ）ＬＴＥセルに対する選択／再選択優先順位を２Ｇ／３Ｇセルの選択／再選択優先順位に比べて低減し、ＬＴＥ選択を阻止ようにすることができる。ここで、選択／再選択優先順位は、通常、ＲＲＣＣｏｎｎｅｃｔｉｏｎＲｅｌｅａｓｅメッセージのＩｄｌｅＭｏｄｅＭｏｂｉｌｉｔｙＣｏｎｔｒｏｌＩｎｆｏ内にｃａｒｒｉｅｒ  ｆｒｅｑｕｅｎｃｙ別に再選択優先順位を通じて設定されることができる。
一方、２Ｇ／３Ｇセルでは、ＬＴＥセルの選択を勧めるために、自分に接続された端末のＬＴＥセルに対する優先順位をさらに高めることができる。すなわち、ＬＴＥセルでの優先順位設定によって端末が２Ｇ／３Ｇセルを選択し、網に接続した後、接続が解除されるとき、２Ｇ／３Ｇ基地局は、端末に前述したＩｄｌｅＭｏｄｅＭｏｂｉｌｉｔｙＣｏｎｔｒｏｌＩｎｆｏまたはそれと類似の情報を通じてＬＴＥに対する選択／再選択優先順位が２Ｇ／３Ｇより高いように設定することができる。これは、ＣＳＦＢが支援されるＬＴＥセルでは、２Ｇ／３ＧよりＬＴＥを使用するように誘導するためのものである。
【００４３】
本発明の第３実施形態による方法は、端末とコアネットワーク間の相互動作を利用するものである。ＣＳＦＢを使用しようとする端末がＬＴＥ網で接続を試みる場合、ｃｏｍｂｉｎｅｄ  ａｔｔａｃｈまたはｃｏｍｂｉｎｅｄ  ＴＡＵ過程を行い、これを受信したＣＳＦＢを支援しないコアネットワークがＣＳＦＢ未支援可否を端末に通知する場合、端末は、当該ネットワークに対する情報、例えばＰＬＭＮ  ＩＤまたはＴＡＩを格納すると同時に、当該セルはこれ以上ＬＴＥとして使用しない。
【００４４】
図５は、本発明の第３実施形態による端末とネットワークの動作を示す図である。
【００４５】
端末は、登録されていないＬＴＥ網に接続をするために、ａｔｔａｃｈまたはＴＡＵ過程を行い、ＣＳＦＢを使用する場合には、ｃｏｍｂｉｎｅｄ  ａｔｔａｃｈまたはｃｏｍｂｉｎｅｄ  ＴＡＵ過程を行わなければならない。したがって、端末は、５０５段階で、ネットワークにｃｏｍｂｉｎｅｄ  ａｔｔａｃｈまたはｃｏｍｂｉｎｅｄ  ＴＡＵ要請メッセージを伝送する。端末の要請メッセージは、コアネットワークのＭＭＥ（Ｍｏｂｉｌｉｔｙ  Ｍａｎａｇｅｍｅｎｔ  Ｅｎｔｉｔｙ）に伝達される。
【００４６】
端末からｃｏｍｂｉｎｅｄ  ａｔｔａｃｈ／ＴＡＵ  ｒｅｑｕｅｓｔメッセージを受信したＭＭＥは、５１０段階で、端末がＣＳＦＢを行おうとする端末であることが分かる。しかし、ネットワークがＣＳＦＢを支援しない場合、ＭＭＥは、５１５段階で、端末にａｔｔａｃｈ  ａｃｃｅｐｔを送りながらａｔｔａｃｈの結果がＥＰＳ（Ｅｖｏｌｖｅｄ  Ｐａｃｋｅｔ  Ｓｙｓｔｅｍ）ｏｎｌｙであることを通知するか、またはＴＡＵ  ａｃｃｅｐｔを送りながら結果がＴＡ  ｕｐｄａｔｅｄであることを通知し、ＣＳサービスに対する登録は、行われなかったことを通知することができる。また、追加的に、ＭＭＥは、端末にｃａｕｓｅ  ｖａｌｕｅとして＃１８、ＣＳ  ｄｏｍａｉｎ  ｎｏｔ  ａｖａｉｌａｂｌｅを伝達するか、当該ネットワーク（または領域）ではＣＳＦＢ使用が不可能であることを通知する新しいｃａｕｓｅを伝達することもできる。
【００４７】
ＭＭＥから上記のような情報を受信した端末は、ＣＳＦＢを使用しなければならないにもかかわらず、現在ＬＴＥネットワークがＣＳＦＢを支援しないことが分かる。端末は、この場合、５２０段階で、登録過程を試みたネットワークのＰＬＭＮ  ＩＤをリスト（例えば、Ｆｏｒｂｉｄｄｅｎ  ＰＬＭＮ  ｌｉｓｔ  ｆｏｒ  ＬＴＥ）に格納し、当該リストに属するＰＬＭＮ  ＩＤを有するネットワークに対しては、ＬＴＥを使用しないようにする。すなわち、端末は、セル選択／再選択過程で受信したセル情報（例えば、Ｓｙｓｔｅｍ  Ｉｎｆｏｒｍａｔｉｏｎ  Ｂｌｏｃｋ）が当該セルがＬＴＥセルであることを示し、セル情報に含まれたＰＬＭＮ  ＩＤが端末に格納されたリストに含まれる場合、当該セルを選択／再選択候補から除外する。
【００４８】
端末は、セル選択／再選択可否を決定するために、ＰＬＭＮ  ＩＤの代わりに、ＴＡＩを使用することもできる。具体的に、端末がＣＳＦＢを使用しなければならないにもかかわらず、図５のような過程によって現在ＬＴＥネットワークがＣＳＦＢを支援しないことが分かった場合、登録過程を試みたネットワークのＴＡＩをリスト（例えば、Ｆｏｒｂｉｄｄｅｎ  ＴＡＩ  ｌｉｓｔ  ｆｏｒ  ＬＴＥ）に格納し、当該リストに属するＴＡＩを有するネットワークに対してはＬＴＥを使用しないようにする。すなわち、端末は、セル選択／再選択過程で受信したセル情報（例えば、Ｓｙｓｔｅｍ  Ｉｎｆｏｒｍａｔｉｏｎ  Ｂｌｏｃｋ）が当該セルがＬＴＥセルであることを示し、セル情報に含まれたＴＡＩが端末に格納されたリストに含まれる場合、当該セルを選択／再選択候補から除外する。
【００４９】
以上のような過程中に、ＭＭＥは、ユーザ端末に追加的にＣＳＦＢが支援されないＬＴＥ網の情報、例えばＣＳＦＢが支援されない他のＬＴＥ網のＰＬＭＮ  ＩＤのリストまたはＴＡＩのリストを提供することもできる。この情報は、ａｔｔａｃｈ  ａｃｃｅｐｔメッセージやＴＡＵ  ａｃｃｅｐｔメッセージに含まれることができ、これを受信したユーザ端末は、前記情報に含まれたＰＬＭＮ（またはＴＡＩ）を有するＬＴＥセルに対しては、ＣＳＦＢが支援されないことを判断することができる。
【００５０】
もしＬＴＥが支援されない網でユーザ端末がｃｏｍｂｉｎｅｄ  ａｔｔａｃｈまたはｃｏｍｂｉｎｅｄ  ＴＡＵ過程を行った場合、ＭＭＥは、前述した実施形態の変形でＰＳサービスに対する応答の代わりに、ａｔｔａｃｈ  ｒｅｊｅｃｔまたはＴＡＵ  ｒｅｊｅｃｔメッセージをユーザ端末に伝達しながら登録拒否を行うこともできる。この場合にも、前記情報をユーザ端末に伝達するか、ユーザ端末が格納して以後ＬＴＥ網のＣＳＦＢ支援可否を判断することができるようにする概念は、そのまま適用されることができる。
【００５１】
上記のようなＰＬＭＮ  ＩＤまたはＴＡＩを利用した動作は、少しの変更を通じてＣＳＦＢを支援する網での動作に置換されることができる。すなわち、ユーザ端末がＣＳＦＢを支援するＬＴＥ網で登録を試みた場合、ＭＭＥのようなコアネットワークノードは、ＣＳＦＢとＬＴＥサービスに対する登録許容メッセージを送ると共に、追加的に端末がＬＴＥとして使用してはならないＰＬＭＮ  ＩＤまたはＴＡＩの情報を与えることができる。すなわち、登録の結果がｃｏｍｂｉｎｅｄ  ＩＭＳＩ／ＥＰＳ  ａｔｔａｃｈまたはｃｏｍｂｉｎｅｄ  ＩＭＳＩ／ＥＰＳ  ｕｐｄａｔｅｄありながら、ｆｏｒｂｉｄｄｅｎ  ＰＬＭＮ  ｌｉｓｔ  ｆｏｒ  ＬＴＥまたはｆｏｒｂｉｄｄｅｎ  ＴＡＩ  ｌｉｓｔ  ｆｏｒ  ＬＴＥを提供するものである。これを受信した端末は、登録を終えたＬＴＥ網では、ＬＴＥサービスとＣＳサービスを同時に受けることができるが、提供されたリストに含まれていて、ＬＴＥとして使用してはならないＰＬＭＮ  ＩＤまたはＴＡＩを有する網に移動した場合、当該網に属するセルをセル選択／再選択過程の候補から除外することができる。
【００５２】
以上の実施形態では、コアネットワークがａｔｔａｃｈ／ＴＡＵ過程中にＰＬＭＮまたはＴＡＩに対するＣＳＦＢ支援可否を通知し、それによって、ユーザ端末がＬＴＥセルに対する選択／再選択可能可否を決定したが、本発明のさらに他の実施形態によれば、コアネットワークから受信した情報に基づいて（ＰＬＭＮまたはＴＡＩに対する）ＣＳＦＢ支援可否を判断し、もし当該地域でＣＳＦＢが支援されない場合、端末が自体的に（ｌｏｃａｌｌｙ）ＬＴＥセルに対する選択／再選択優先順位を２Ｇ／３Ｇセルの選択／再選択優先順位に比べて低減し、ＬＴＥセルの選択を阻止するようにすることができる。ここで、選択／再選択優先順位は、通常、ＲＲＣＣｏｎｎｅｃｔｉｏｎＲｅｌｅａｓｅメッセージのＩｄｌｅＭｏｄｅＭｏｂｉｌｉｔｙＣｏｎｔｒｏｌＩｎｆｏ内にｃａｒｒｉｅｒ  ｆｒｅｑｕｅｎｃｙ別に再選択優先順位を通じて設定されることができる。
【００５３】
一方、２Ｇ／３Ｇは、ＬＴＥセルの選択を勧めるために、自分に接続された端末のＬＴＥセルに対する優先順位をさらに高めることができる。すなわち、前記ＬＴＥセルでの優先順位設定によって端末が２Ｇ／３Ｇセルを選択し、網に接続した後、接続が解除されるとき、２Ｇ／３Ｇ基地局は、端末に前述したＩｄｌｅＭｏｄｅＭｏｂｉｌｉｔｙＣｏｎｔｒｏｌＩｎｆｏまたはそれと類似の情報を通じてＬＴＥに対する選択／再選択優先順位が２Ｇ／３Ｇより高いように設定することができる。これは、ＣＳＦＢが支援されるＬＴＥセルでは、２Ｇ／３ＧよりＬＴＥを使用するように誘導するためのものである。
【００５４】
本発明の第４実施形態による方法は、ＣＳＧ（Ｃｌｏｓｅｄ  Ｓｕｂｓｃｒｉｂｅｒ  Ｇｒｏｕｐ）概念を使用するものである。本発明の第４実施形態によれば、ＣＳＦＢを支援するＬＴＥ網に属するセルは、あらかじめ定められたＣＳＧ  ＩＤを有している。また、ＣＳＦＢを支援するシングルラジオＬＴＥ端末にも、同様に、ＣＳＦＢを支援するＬＴＥ網に属することを示すＣＳＧ  ＩＤまたはＩＤのリスト（ｌｉｓｔ）が設定されている。このようなＣＳＧ  ＩＤまたはＩＤのリストは、端末のＨＰＬＭＮまたはＥＨＰＬＭＮのみに対して許容されるように設定されることができる。また、この際、ＣＳＦＢを支援するＬＴＥセルは、ｈｙｂｒｉｄ  ｃｅｌｌに設定され、ＣＳＧ  ＩＤを有しないユーザ端末（例えば、デュアルラジオＬＴＥ端末）の使用時に問題が発生しないようにすることができる。
【００５５】
したがって、ＣＳＦＢ基盤のシングルラジオＬＴＥ端末は、ＬＴＥセルから受信した情報によって当該セルのＣＳＧ  ＩＤが、自分が有しているＣＳＧ  ＩＤリストと一致する場合にのみ、当該セルを使用する。ＣＳＦＢを支援しないＬＴＥセルは、ＣＳＧ  ＩＤを使用しないので、シングルラジオ端末が接続を行うことを阻止することができる。本実施形態で、ＣＳＦＢを支援するＬＴＥセルは、ＣＳＧ  ＩＤを放送（ｂｒｏａｄｃａｓｔ）し、ＣＳＦＢを支援しないＬＴＥセルは、ＣＳＧ  ＩＤを放送しないので、シングルラジオＣＳＦＢ  ＬＴＥ端末は、自分に設定されたＣＳＧ  ＩＤとＬＴＥ網が有するＣＳＧ  ＩＤの一致可否を比較し、ＬＴＥ網のＣＳＦＢ支援可否を判断することができる。
【００５６】
図６は、本発明の第４実施形態によってＣＳＧ概念を利用してセル選択／再選択を行う過程を示す図である。
【００５７】
図６を参照すると、６０５段階で、ユーザ端末は、受信部を通じて周辺セル情報、例えばＳＩＢを受信する。制御部は、６１０段階で、受信したセル情報を通じて当該セルがＬＴＥセルインジの可否を判断して、もしＬＴＥセルなら、６１５段階で、受信部を通じて受信したセルのＣＳＧ  ＩＤ（またはＣＳＧ  ＩＤ）を設定されたＣＳＧ  ＩＤのリスト（ｌｉｓｔ）と比較する。制御部は、この過程を通じて、６２０段階で、当該ＬＴＥセルを利用しても、ＬＴＥサービスとＣＳサービスを両方共受けることができるか否かを判断することができる。制御部は、当該ＬＴＥセルがＣＳＦＢを支援してＬＴＥが使用可能なものと判断すれば、当該セルを選択可能なセルとして考慮し、当該ＬＴＥセルがＣＳＦＢを支援しなくて当該セルでＬＴＥを使用すれば、ＣＳサービスに問題が起こるものと判断する場合には、当該セルに対する選択を考慮しない。前記過程でユーザ端末は、受信したセル情報にＣＳＧ  ＩＤが含まれない場合に対しても、ＣＳＦＢが支援されないと判断することができる。
【００５８】
本発明の第４実施形態によるＣＳＧ  ＩＤ基盤のＬＴＥ使用可否決定動作は、特定ＰＬＭＮのみに対して限定的に適用されることができる。すなわち、ユーザ端末には、前記説明したＣＳＧ  ＩＤを基盤としてＬＴＥセルを選択／再選択するか否かを決定する動作を行うＰＬＭＮ  ＩＤ（またはＰＬＭＮ  ＩＤのｌｉｓｔ）が設定されることができる。例えば、ユーザ端末のＨＰＬＭＮ（Ｈｏｍｅ  ＰＬＭＮ）またはこれに準ずるＥＨＰＬＭＮ（Ｅｑｕｉｖａｌｅｎｔ  Ｈｏｍｅ  ＰＬＭＮ）のみに対して前記動作を行うように設定された場合、現在ユーザ端末がとどまる網のＰＬＭＮがＨＰＬＭＮやＥＨＰＬＭＮと一致する場合のみに限って、前記ＣＳＧ  ＩＤ基盤のセル選択／再選択決定判断過程を適用し、その他のＰＬＭＮに対しては適用しなくてもよい。
【００５９】
前記ＣＳＧ  ＩＤ基盤の実施形態の変形として、次の実施形態を考慮することもできる。この変形された実施形態では、ＣＳＦＢを支援しないＬＴＥ網に属するセルは、あらかじめ定められたＣＳＧ  ＩＤを有している。また、デュアルラジオＬＴＥ端末にも、同様にＣＳＦＢを支援しない当該ＣＳＧ  ＩＤまたはＩＤのリスト（ｌｉｓｔ）が設定されている。このようなＣＳＧ  ＩＤまたはＩＤのリストは、ＨＰＬＭＮとＥＨＰＬＭＮのみに対して許容されるように設定されることができる。また、この際、ＣＳＦＢを支援しないＬＴＥセルは、ｃｌｏｓｅｄ  ｃｅｌｌに設定され、ＣＳＧ  ＩＤを有しないユーザ端末（例えば、シングルラジオＬＴＥ端末）が接続することを阻止することができる。
【００６０】
ＣＳＦＢが支援されないＬＴＥ網で、デュアルラジオＬＴＥ端末は、ＬＴＥセルが提供するセル情報に含まれたＣＳＧ  ＩＤが自分が有しているＣＳＧ  ＩＤと一致するので、ＬＴＥ網を選択して使用することができる。一方、ＣＳＦＢ基盤のシングルラジオＬＴＥ端末は、ＬＴＥセルから受信した情報によって当該セルがＣＳＧセルであるかを把握することができ、ユーザ端末には、一致するＣＳＧ  ＩＤが設定されていないので、当該セルを選択／再選択することができない。したがって、この方法を使用する場合、ＣＳＦＢが支援されないＬＴＥ網をデュアルラジオＬＴＥ端末は使用し、シングルラジオＣＳＦＢ基盤ＬＴＥ端末は使用しないように設定することが可能である。
【００６１】
以上の実施形態では、ＣＳＧ  ＩＤを通じてＣＳＦＢ支援可否を通知し、それによって、ＬＴＥセルに対する選択／再選択可能可否を決定したが、本発明のさらに他の実施形態によれば、端末は、ＬＴＥセルが伝送するＣＳＧ  ＩＤと自分に設定されたＣＳＧ  ＩＤ（ｌｉｓｔ）を通じてＣＳＦＢ支援可否を判断し、もし当該地域でＣＳＦＢが支援されない場合、端末が自体的に（ｌｏｃａｌｌｙ）ＬＴＥセルに対する選択／再選択優先順位を２Ｇ／３Ｇセルの選択／再選択優先順位に比べて低減し、ＬＴＥセルの選択を阻止するようにすることができる。ここで、選択／再選択優先順位は、通常、ＲＲＣＣｏｎｎｅｃｔｉｏｎＲｅｌｅａｓｅメッセージのＩｄｌｅＭｏｄｅＭｏｂｉｌｉｔｙＣｏｎｔｒｏｌＩｎｆｏ内にｃａｒｒｉｅｒｆｒｅｑｕｅｎｃｙ別に再選択優先順位を通じて設定されることができる。
【００６２】
一方、２Ｇ／３Ｇは、ＬＴＥセルの選択を勧めるために、自分に接続された端末のＬＴＥセルに対する優先順位をさらに高めることができる。すなわち、前記ＬＴＥセルでの優先順位設定によって端末が２Ｇ／３Ｇセルを選択し、網に接続した後、接続が解除されるとき、２Ｇ／３Ｇ基地局は、端末に前述したＩｄｌｅＭｏｄｅＭｏｂｉｌｉｔｙＣｏｎｔｒｏｌＩｎｆｏまたはそれと類似の情報を通じてＬＴＥに対する選択／再選択優先順位が２Ｇ／３Ｇより高いように設定することができる。これは、ＣＳＦＢが支援されるＬＴＥセルでは２Ｇ／３ＧよりＬＴＥを使用するように誘導するためのものである。
【００６３】
本発明の第５実施形態による方法は、セル情報に当該セルがＣＳＦＢを支援するか否かを含ませるものである。具体的に、ＣＳＦＢを支援しないＬＴＥ網に属するセルは、ＣＳＦＢ使用が不可能であることを通知する情報をセル情報（例えば、Ｓｙｓｔｅｍ  Ｉｎｆｏｒｍａｔｉｏｎ  Ｂｌｏｃｋ）に含んで伝送する。ＣＳＦＢ基盤のシングルラジオＬＴＥ端末は、ＬＴＥセルから受信した情報によってＣＳＦＢが支援される場合（すなわち、ＣＳＦＢ未支援可否を通知しない場合）に限って、当該セルを使用することができると判断し、選択／再選択候補として考慮する。
【００６４】
より具体的に、上記方案は、既存セル情報にある情報を活用することによって具現されることができる。例えば、ＣＳＦＢを支援しないＬＴＥセルは、Ｓｙｓｔｅｍ  Ｉｎｆｏｒｍａｔｉｏｎ  Ｂｌｏｃｋ  Ｔｙｐｅ  ２に存在するａｃ−ＢａｒｒｉｎｇＦｏｒＣＳＦＢを通じてＣＳＦＢを使用することができないという事実をユーザ端末に通知し、これを受信したシングルラジオＬＴＥ端末は、ＣＳＦＢ未支援可否を把握し、当該セルをセル選択／再選択過程で使用してはならないことを把握することができる。
【００６５】
この際、ＣＳＦＢが使用されることができないことを示すときに使用されるａｃ−ＢａｒｒｉｎｇＦｏｒＣＳＦＢに含まれる具体的な値（例えば、ａｃ−ＢａｒｒｉｎｇＦａｃｔｏｒ、ａｃ−ＢａｒｒｉｎｇＴｉｍｅの値）は、ユーザ端末にあらかじめ設定されたものと同じでなければならない。例えば、ＣＳＦＢを支援しないＬＴＥセルは、ａｃ−ＢａｒｒｉｎｇＦｏｒＣＳＦＢ内のａｃ−ＢａｒｒｉｎｇＦａｃｔｏｒの値をｐ９５に設定することによって、当該セルでＣＳＦＢを使用することができないことを端末に通知し、ユーザ端末には、上記パラメータの値による情報があらかじめ設定されていて、前記情報を受信すれば、当該ＬＴＥセルに対する選択／再選択を行わなくてもよい。
【００６６】
本発明の第４実施形態と同様に、上記のようなＡｃｃｅｓｓ  Ｃｌａｓｓ  Ｂａｒｒｉｎｇ情報基盤ＬＴＥ使用可否決定動作は、特定ＰＬＭＮだけに対して限定的に適用されることができる。すなわち、ユーザ端末には、前記説明したＡｃｃｅｓｓ  Ｃｌａｓｓ  Ｂａｒｒｉｎｇ情報を基盤としてＬＴＥセルを選択／再選択するか否かを決定する動作を行うＰＬＭＮ  ＩＤ（またはＰＬＭＮ  ＩＤのｌｉｓｔ）が設定されることができる。例えば、ユーザ端末のＨＰＬＭＮ（Ｈｏｍｅ  ＰＬＭＮ）またはこれに準ずるＥＨＰＬＭＮ（Ｅｑｕｉｖａｌｅｎｔ  Ｈｏｍｅ  ＰＬＭＮ）のみに対して前記動作を行うように設定された場合、現在ユーザ端末がとどまる網のＰＬＭＮがＨＰＬＭＮやＥＨＰＬＭＮと一致する場合のみに限って、前記Ａｃｃｅｓｓ  Ｃｌａｓｓ  Ｂａｒｒｉｎｇ基盤のセル選択／再選択決定判断過程を適用し、その他のＰＬＭＮに対しては適用しなくてもよい。
【００６７】
また、他の方案として、上記第５実施形態は、セル情報に新しいＣＳＦＢ支援可否を示す識別子を追加することによって具現されることができる。例えば、ＬＴＥセルは、ＳｙｓｔｅｍＩｎｆｏｒｍａｔｉｏｎ  Ｂｌｏｃｋ（ＳＩＢ）Ｔｙｐｅ  １またはＴｙｐｅ  ２にＣＳＦＢＳｕｐｐｏｒｔｅｄのような新しい識別子を含むことができ、このような識別子は、ＣＳＦＢが支援されるかまたは支援されないことをユーザ端末に通知するのに使用される（ＣＳＦＢＳｕｐｐｏｒｔｅｄとして使用される場合、０は、ＣＳＦＢ未支援、１は、ＣＳＦＢ支援を示すことができる）。ＣＳＦＢ支援可否に対する明示的な識別子をＬＴＥセルから受信したユーザ端末は、ＬＴＥ網のＣＳＦＢ支援可否を把握することができ、シングルラジオＣＳＦＢ  ＬＴＥ端末の場合、ＣＳＦＢが支援されないＬＴＥ網は、接続を考慮しない。
【００６８】
また、他の方案として、上記第５実施形態は、ＬＴＥセルで伝送することができるＳＩＢ  ｔｙｐｅ  ８の特定フィールドを利用して具現されてもよい。例えば、ＬＴＥセルが伝送するＳＩＢ  ｔｙｐｅ  ８は、ＬＴＥ周辺のＣＤＭＡ  ２０００網に対する情報を通知するために使用され、ＳＩＢ  ｔｙｐｅ  ８の指示子（ｉｎｄｉｃａｔｏｒ）のうちｃｓｆｂ−ＤｕａｌＲｘＴｘＳｕｐｐｏｒｔまたはｃｓｆｂ−ＳｕｐｐｏｒｔＦｏｒＤｕａｌＲｘＵＥｓを使用してＣＳＦＢが支援されるかまたは支援されないことをユーザ端末に通知することができる（上記２つのｉｎｄｉｃａｔｏｒに対して、ＴＲＵＥまたは１は、ＣＳＦＢ支援、ＦＡＬＳＥまたは０は、ＣＳＦＢ未支援を示すことができる）。
【００６９】
一般的に、ＣＤＭＡ  ２０００網が周辺に存在しない場合、ＬＴＥ基地局は、ＳＩＢ  ｔｙｐｅ  ８を伝送せず、ＣＤＭＡ  ２０００接続が不要な端末も、ＳＩＢ  ｔｙｐｅ  ８を聞く必要がないが、本発明の実施形態では、ＣＤＭＡ  ２０００が存在しないとき、基地局がＳＩＢ  ｔｙｐｅ  ８にある特定識別子を通じてＬＴＥセルのＣＳＦＢ支援可否を通知することができる。ＣＳＦＢ支援可否に対する明示的な識別子をＬＴＥセルから受信したユーザ端末は、ＬＴＥ網のＣＳＦＢ支援可否を把握することができ、シングルラジオＣＳＦＢ  ＬＴＥ端末の場合、ＣＳＦＢが支援されないＬＴＥ網は、接続を考慮しない。
【００７０】
このようにＣＤＭＡ  ２０００網に接続するためのものではないＣＳＦＢ支援可否を把握するためにＳＩＢ  ｔｙｐｅ  ８を受信し解析する動作は、シングルラジオＣＳＦＢ  ＬＴＥ端末に限定的に適用されることができ、特に、このような動作は、セルが特定領域（ＰＬＭＮまたはＴＡＩなど）に属するときにのみ発生してもよい。
【００７１】
図７は、本発明の第５実施形態による端末の動作を示す図である。
【００７２】
図７を参照すると、７０５段階で、端末は、受信部を通じて周辺セル情報、例えばＳＩＢを受信する。端末の制御部は、７１０段階で、受信したセル情報を通じて当該セルがＬＴＥセルであるか否かを判断する。ひいては、あらかじめ設定されたＰＬＭＮ  ＩＤのリストを通じて当該セルで本発明の第５実施形態を適用することができるか、すなわちＣＳＦＢ支援可否を示す識別子によってセル選択可否を決定することができるかを確認することができる。
【００７３】
セル情報を通じて当該セルがＬＴＥセルであると判断される場合、端末は、６１５段階で、セル情報の識別子を確認する。ここで、識別子は、既存ＳＩＢに含まれている識別子であってもよく、新しく定義された識別子であってもよい。６２０段階で、端末は、識別子の値を通じて当該ＬＴＥセルがＣＳＦＢを支援するか否かを確認する。ＣＳＦＢを支援する場合、端末は、６２５段階で、当該ＬＴＥセルをセル選択候補に含ませ、ＣＳＦＢを支援しない場合、６３０段階で、当該ＬＴＥセルをセル選択候補から除外する。
【００７４】
以上の実施形態では、Ａｃｃｅｓｓ  Ｃｌａｓｓ  Ｂａｒｒｉｎｇ情報またはＳＩＢを通じてＣＳＦＢ支援可否を通知し、それによって、ＬＴＥセルに対する選択／再選択可能可否を決定したが、本発明のさらに他の実施形態によれば、端末は、ＬＴＥセルが伝送する上記識別子を通じてＣＳＦＢ支援可否を判断し、もし当該地域でＣＳＦＢが支援されない場合、端末が自体的に（ｌｏｃａｌｌｙ）ＬＴＥセルに対する選択／再選択優先順位を２Ｇ／３Ｇセルの選択／再選択優先順位に比べて低減し、ＬＴＥ選択を阻止するようにすることができる。ここで、選択／再選択優先順位は、通常、ＲＲＣＣｏｎｎｅｃｔｉｏｎＲｅｌｅａｓｅメッセージのＩｄｌｅＭｏｄｅＭｏｂｉｌｉｔｙＣｏｎｔｒｏｌＩｎｆｏ内にｃａｒｒｉｅｒ  ｆｒｅｑｕｅｎｃｙ別に再選択優先順位を通じて設定されることができる。
【００７５】
一方、２Ｇ／３Ｇセルでは、ＬＴＥセルの選択を勧めるために、自分に接続された端末のＬＴＥに対する優先順位をさらに高めることができる。すなわち、ＬＴＥセルでの優先順位設定によって端末が２Ｇ／３Ｇセルを選択し、網に接続した後、接続が解除されるとき、２Ｇ／３Ｇ基地局は、端末に前述したＩｄｌｅＭｏｄｅＭｏｂｉｌｉｔｙＣｏｎｔｒｏｌＩｎｆｏまたはそれと類似の情報を通じてＬＴＥセルに対する選択／再選択優先順位が２Ｇ／３Ｇより高いように設定することができる。これは、ＣＳＦＢが支援されるＬＴＥセルでは、２Ｇ／３ＧよりＬＴＥを使用するように誘導するためのものである。
【００７６】
本発明の第６実施形態によれば、ユーザ端末は、自分がＣＳＦＢを支援するＬＴＥ端末であることを示す識別子を基地局に通知し、基地局は、受信された識別子と自分または周辺ＬＴＥセルのＣＳＦＢ支援可否を一緒に考慮してＣＳＦＢ使用可能可否を決定した後、もしＣＳＦＢを使用することができる場合、端末のＬＴＥ優先順位を２Ｇ／３Ｇより高く設定し、そうではなければ、ＬＴＥ優先順位を低く設定することができる。
【００７７】
より具体的に、端末がＬＴＥセルを選択して接続を試みるとき、端末は、ＣＳＦＢ支援可否を懶怠内は識別子を含むことができる。識別子の例として、ＲＲＣメッセージにｃｓｆｂ＿ｓｕｐｐｏｒｔｅｄなどを含ませるか、またはＦｅａｔｕｒｅ  Ｇｒｏｕｐ  ＩｎｄｉｃａｔｏｒにＣＳＦＢ支援可否を示す特定値を使用することができる。
【００７８】
端末から識別子を含んだ接続要請を受信したＬＴＥ基地局は、ＬＴＥセルがＣＳＦＢを支援することができる場合、端末のＬＴＥ／２Ｇ／３Ｇ周波数に対する再選択優先順位を設定するとき、ＬＴＥの優先順位を相対的に高く設定する。反対に、ＬＴＥ基地局は、ＬＴＥセルがＣＳＦＢを支援することができない場合、端末のＬＴＥ／２Ｇ／３Ｇ周波数に対する再選択優先順位を設定するとき、ＬＴＥの優先順位を相対的に低く設定する。この状況で、端末は、コアネットワークからＣＳサービスに対する登録が失敗したことを示す情報を受信しても、ＬＴＥ機能（Ｅ−ＵＴＲＡＮ  ｃａｐａｂｉｌｉｔｙ）をオフとしなくてもよい。
【００７９】
一方、端末が２Ｇ／３Ｇセルを選択して接続を試みるときにも、同様に、ＣＳＦＢ支援可否を示す識別子を含むことができる。識別子の例として、ＲＲＣメッセージにｃｓｆｂ＿ｓｕｐｐｏｒｔｅｄなどを含ませるか、またはＦｅａｔｕｒｅ  Ｇｒｏｕｐ  ＩｎｄｉｃａｔｏｒにＣＳＦＢ支援可否を示す特定値を使用することができる。
【００８０】
端末から識別子を含む接続要請を受信した２Ｇ／３Ｇ基地局は、周辺のＬＴＥセルがＣＳＦＢを支援することができる場合、端末のＬＴＥ／２Ｇ／３Ｇ周波数に対する再選択優先順位を設定するとき、ＬＴＥの優先順位を相対的に高く設定する。反対に、２Ｇ／３Ｇ基地局は、周辺ＬＴＥセルがＣＳＦＢを支援することができない場合、端末のＬＴＥ／２Ｇ／３Ｇ周波数に対する再選択優先順位を設定するとき、ＬＴＥの優先順位を相対的に低く設定する。
【００８１】
図８は、本発明の好ましい実施形態によって動作する端末の構成を示す図である。図８を参照すると、本発明の実施形態による端末は、無線送受信部８１０、制御部８２０及び格納部８３０を具備することができる。
【００８２】
無線送受信部８１０は、ネットワークからセル情報を受信し、制御部８２０の制御によって登録関連メッセージを送受信する。制御部８２０は、以上で説明した実施形態によってセル情報から現在ＬＴＥセルがＣＳＦＢを支援するか否かを判断し、判断結果によってセル選択可否を決定する。格納部８３０には、本発明の実施形態による端末の動作に必要な各種情報が格納されることができる。例えば、ＣＳＦＢ支援可否によって設定されたＰＬＭＮ  ＩＤまたはＴＡＩリストが格納されることができる。
【００８３】
図９は、本発明の好ましい実施形態によって動作するＭＭＥの構成を示す図である。図９を参照すると、本発明の実施形態によるＭＭＥは、インターフェース部９１０、制御部９２０及び格納部９３０を具備することができる。
【００８４】
インターフェース部９１０は、基地局と連結され、端末に伝達されるメッセージ及び端末から伝達するメッセージを送受信する。制御部９２０は、以上で説明した本発明の実施形態と関連して端末に伝達されるメッセージを設定する。格納部９４０には、本発明の実施形態によるＭＭＥの動作に必要な各種情報が格納されることができる。例えば、ＬＴＥセルがＣＳＦＢを支援するか否かによって異なるように設定されたＰＬＭＮ  ＩＤまたはＴＡＩ情報が格納されることができる。
【００８５】
一方、ローカル網でＰＤＮ連結が生成された後、端末が移動するとき、ＰＤＮ連結をどのように処理するかも重要なイシューである。この発明は、基地局に近いローカルＳＧＷ（Ｓｅｒｖｉｎｇ  Ｇａｔｅｗａｙ）とＬＧＷ（Ｌｏｃａｌ  Ｇａｔｅｗａｙ）がｃｏ−ｌｏｃａｔｅｄされたゲートウェーが１つのローカルネットワークを構成するアーキテクチャーを前提とする。端末が１つのローカルネットワーク内の基地局を利用して接続するときは、当該ローカルネットワーク内のローカルＳＧＷ／ＬＧＷを利用することが効率的なデータパスを構成するようにする。
【００８６】
したがって、端末がローカルネットワーク１の領域からローカルネットワーク２の領域に移動したとき、ローカルネットワーク１のローカルＬＧＷを利用して連結されたＰＤＮｃｏｎｎｅｃｔｉｏｎをｒｅｌｅａｓｅさせ、ローカルネットワーク１のローカルＳＧＷをローカルネットワーク２のローカルＳＧＷにｒｅ−ｌｏｃａｔｉｏｎさせた後、ｒｅｌｅａｓｅされたＰＤＮ  ｃｏｎｎｅｃｔｉｏｎを端末がさらに要請することができるようにｃａｕｓｅで端末に通知しなければならない。
【００８７】
ところが、問題は、端末がｃｏｎｎｅｃｔｅｄモード状態で２つの異なるローカルネットワークを移動したとき、そのｈａｎｄｏｖｅｒ過程中には、ローカルネットワークの移動をＭＭＥで把握できないという点である。特に、２つの異なるローカルネットワークにあるＳＧＷ／ＬＧＷと（Ｈ）ｅＮＢが互いに連結された場合には、端末がローカルネットワーク１からローカルネットワーク２に移動するとしても、実際データパスがローカルネットワーク１のＳＧＷ／ＬＧＷとローカルネットワーク２の（Ｈ）ｅＮＢが連結されるデータパスで形成され、非効率的なデータパスが生成されることができる。
【００８８】
これを解決するためには、ＭＭＥが端末が他のｌｏｃａｌ  ｎｅｔｗｏｒｋに移動したことを把握しなければならない。特に１つのＴＡ内に２つの異なるローカルネットワークが存在するか、端末のＴＡ  ｌｉｓｔに該当するＴＡ内に２つのローカルネットワークが存在する場合、端末がｉｄｌｅ状態であるか、ｃｏｎｎｅｃｔｅｄ状態であるかに関係なく、端末がＴＡＵ（ｔｒａｃｋｉｎｇ  ａｒｅａ  ｕｐｄａｔｅ）を行わないので、端末が他のローカルネットワークに移動したことを端末の移動性管理ｃｏｎｔｒｏｌｌｅｒであるＭＭＥで把握することができない。
【００８９】
すなわち、Ｈａｎｄｏｖｅｒ過程では、端末が伝送するメッセージがないため、ＭＭＥで端末のｌｏｃａｌ  ｎｅｔｗｏｒｋの移動性可否を判断することができず、端末がｉｄｌｅ状態で移動するときにも、端末が伝送するメッセージがないため、ＭＭＥで端末のｌｏｃａｌｎｅｔ  ｗｏｒｋの移動性可否を判断することができない。
【００９０】
したがって、このような条件のうち、ｉｄｌｅ状態として端末が他のローカルネットワークに移動したときは、端末がａｃｔｉｖｅ状態となるｓｅｒｖｉｃｅ  ｒｅｑｕｅｓｔメッセージを送り、そのｓｅｒｖｉｃｅ  ｒｅｑｕｅｓｔメッセージを基地局がＭＭＥに伝達するとき、現在のｌｏｃａｌ  ｎｅｔｗｏｒｋ  ＩＤを一緒にＭＭＥに伝達する。それでは、ｓｅｒｖｉｃｅ  ｒｅｑｕｅｓｔメッセージを処理する中に、ＭＭＥは、ｌｏｃａｌ  ｎｅｔｗｏｒｋ  ＩＤを見て、ローカルＬＧＷを利用するＰＤＮ  ｃｏｎｎｅｃｔｉｏｎをｒｅｌｅａｓｅしなければならないかを決定する。ｒｅｌｅａｓｅをしなければならない場合、ＭＭＥは、基地局に端末のベアラー（ｂｅａｒｅｒ）関連コンテキスト（ｃｏｎｔｅｘｔ）をｓｅｔｕｐする前にｒｅｌｅａｓｅをまず行い、必要に応じて、さらに近いＳＧＷにＳＧＷを替えるｒｅ−ｌｏｃａｔｉｏｎを行った後、ｓｅｒｖｉｃｅ  ｒｅｑｕｅｓｔ過程のために、基地局にｒｅｌｅａｓｅされたＰＤＮ  ｃｏｎｎｅｃｔｉｏｎ関連した内容を除いたｂｅａｒｅｒのｓｅｔｕｐを要請する。
【００９１】
また、端末がｃｏｎｎｅｃｔｅｄ状態に移動するときにも、同一に端末がｈａｎｄｏｖｅｒが行われた後、ｉｄｌｅに状態が転換された後に、さらにｃｏｎｎｅｃｔｅｄされるために、ｓｅｒｖｉｃｅ  ｒｅｑｕｅｓｔを行うとき、ｌｏｃａｌ  ｎｅｔｗｏｒｋ  ｉｄ情報を利用して他のローカルネットワークＬＧＷを使用するＰＤＮ  ｃｏｎｎｅｃｔｉｏｎをｒｅｌｅａｓｅし、ＳＧＷをｒｅ−ｌｏｃａｔｉｏｎさせる動作を行う。
【００９２】
端末がｃｏｎｎｅｃｔｅｄ状態に移動する過程中に、すなわちｈａｎｄｏｖｅｒ中に行われることができる他の実行例として、ｈａｎｄｏｖｅｒ中にターゲットｅＮＢがＭＭＥに伝達するメッセージであるＳ１  ｈａｎｄｏｖｅｒのｈａｎｄｏｖｅｒ  ｒｅｑｕｅｓｔ  ａｃｋまたはＸ２  ｈａｎｄｏｖｅｒのｐａｔｈ  ｓｗｉｔｃｈ  ｒｅｑｕｅｓｔのメッセージにｔａｒｇｅｔ基地局が属するｌｏｃａｌ  ｎｅｔｗｏｒｋの情報を入れ、これを受信したＭＭＥは、ｈａｎｄｏｖｅｒ過程がすべて行われるときまでこれを格納し、ｈａｎｄｏｖｅｒ過程の実行が終わった後、しばらく格納したｔａｒｇｅｔ基地局が属するｌｏｃａｌ  ｎｅｔｗｏｒｋ情報を基盤としてローカルＬＧＷを利用するＰＤＮ  ｃｏｎｎｅｃｔｉｏｎをｒｅｌｅａｓｅしなければならないかを決定して行い、必要に応じて、さらに近いＳＧＷにＳＧＷを替えるｒｅ−ｌｏｃａｔｉｏｎを行う。
【００９３】
図１０は、本発明の好ましい実施形態によって動作する基地局の構成を示す図である。図１０を参照すると、本発明の実施形態による基地局は、送受信部１０１０、制御部１０２０及び格納部１０３０を具備することができる。
【００９４】
送受信部１０１０は、有線送受信部と無線送受信部で構成されることができる。有線送受信部は、ＭＭＥと連結され、端末に伝達されるメッセージ及び端末から伝達されるメッセージを送受信する。無線送受信部は、端末にセル情報を送信する。制御部１０２０の制御によって端末と端末のセル選択関連メッセージを送受信する。制御部１０２０は、以上で説明した実施形態によって端末のセル選択のためにセル情報に現在ＬＴＥセルがＣＳＦＢを支援するか否かを含ませる。格納部１０３０には、本発明の実施形態による基地局の動作に必要な各種情報が格納されることができる。
【００９５】
端末がｃｏｍｂｉｎｅｄ  ａｔｔａｃｈ  ｐｒｏｃｅｓｓを行うというのは、端末がａｔｔａｃｈ  ｒｅｑｕｅｓｔメッセージのＥＰＳ  ａｔｔａｃｈ  ｔｙｐｅ  ＩＥをｃｏｍｂｉｎｅｄ  ＥＰＳ／ＩＭＳＩ  ａｔｔａｃｈに設定して伝送することを意味する。同様に、端末がｃｏｍｂｉｎｅｄ  ＴＡＵ  ｐｒｏｃｅｓｓを行うのは、ＴＡＵ  ｒｅｑｕｅｓｔメッセージのＥＰＳ  ｕｐｄａｔｅ  ｔｙｐｅ  ＩＥをｃｏｍｂｉｎｅｄ  ＴＡ／ＬＡ  ｕｐｄａｔｉｎｇ  ｗｉｔｈ  ＩＭＳＩ  ａｔｔａｃｈに設定して伝送することを意味する。
【００９６】
前述した実施形態において、すべての段階は、選択的に実行の対象となるか、または省略の対象となることができる。また、各実施形態において、段階は、必ず順に起きる必要がなく、後先になってもよい。
【００９７】
一方、本明細書と図面に開示された本発明の実施形態は、本発明の技術内容を容易に説明し、本発明の理解を助けるために特定例を提示したものに過ぎず、本発明の範囲を限定しようとするものではない。すなわち本発明の技術的思想に基づく他の変形例が実施可能であることは、本発明の属する技術分野における通常の知識を有する者に自明である。
【符号の説明】
【００９８】
８１０  無線送受信部
８２０  制御部
８３０  格納部
９１０  インターフェース部
９２０  制御部
９３０  格納部
１０１０  送受信部
１０２０  制御部
１０３０  格納部
【図１】
2016519553.tif 000003
【図２】
2016519553.tif 000004
【図３】
2016519553.tif 000005
【図４】
2016519553.tif 000006
【図５】
2016519553.tif 000007
【図６】
2016519553.tif 000008
【図７】
2016519553.tif 000009
【図８】
2016519553.tif 000010
【図９】
2016519553.tif 000011
【図１０】
2016519553.tif 000012
【国際調査報告】
2016519553.tif 000013
2016519553.tif 000014